(57)【要約】【課題】安全性のより高い電気掃除機を提供する。【解決手段】電気掃除機では、電動送風機を内装した掃除機本体に、吸込み口体や吸込み口３２から吸込んだ塵埃を溜めておくダストカップ５が着脱可能に取付けられている。そのダストカップ５の上部には、そのロック機構として、把持部１５とカギ部１９が設けられている。把持部１５は回転軸１７に軸支され、手で上に持ち上げる態様で引掛けることにより把持部１５が回動する。カギ部１９はその回動に伴い、リンク機構１６によって下方にスライド動作をして、カギ部１９が筐体に嵌合した状態が解除されて、ダストカップ５が筐体から取外し可能な状態となる。【選択図】図５
2008093341.tif 000002
【特許請求の範囲】
【請求項１】
縦型の電気掃除機であって、
掃除機本体部と、
前記掃除機本体部と接続され、塵埃を吸込むための吸込み口体と
を有し、
掃除機本体部は、
筐体と、
前記筐体内に収容された電動送風機と、
前記筐体に着脱可能に取付けられ、前記吸込み口体から吸込んだ塵埃を集めるダストカップと、
前記ダストカップに設けられ、前記ダストカップを前記筐体に留めるとともに、手で上に持ち上げる態様で引掛けることにより前記留められた状態が解除されるロック機構と
を備えた、電気掃除機。
【請求項２】
前記ロック機構は、
前記筐体の所定の部分に嵌合されて前記ダストカップを前記筐体に留めるカギ部と、
所定の軸部に軸支されて前記カギ部とリンクされ、手で前記軸部の回りに回動させて前記カギ部をスライドさせることにより、前記嵌合された状態を解除する把持部と
を含む、請求項１記載の電気掃除機。
【請求項３】
前記ダストカップの前面側に設けられ、前記ダストカップに溜まった塵埃を確認するための窓を備え、
前記把持部は、前記窓の上方に配設された、請求項１または２に記載の電気掃除機。
【請求項４】
前記把持部は前記ダストカップの外周面よりも突出しないように配設された、請求項１〜３のいずれかに記載の電気掃除機。
【請求項５】
前記把持部は、前記ダストカップの前記外周面に沿うように配設された、請求項４記載の電気掃除機。
【発明の詳細な説明】
【技術分野】
【０００１】
本発明は電気掃除機に関し、特に、縦型の電気掃除機に関するものである。
【背景技術】
【０００２】
従来、空気とともに吸引した塵埃を遠心力を利用して空気と分離し、その分離された塵埃を集める縦型の電気掃除機がある。この種の電気掃除機を開示した文献の一つとして特許文献１がある。図１５に示すように、この文献に開示された電気掃除機１０１では、床等の塵埃を吸込む床ノズル１０５にファンモータ（図示せず）を内装した掃除機本体１０３が接続され、その掃除機本体１０３にはハンドル１１３が取付けられている。掃除機本体１０３のオンオフ動作は、そのハンドル１１３に設けたスイッチ（図示せず）によって行なわれる。
【０００３】
また、掃除機本体１０３には、捕えた塵埃を溜めるダストボックス１０７が着脱可能に取付けられている。そのダストボックス１０７の前面には、ダストボックス１０７に手を掛ける把持部１１１が形成されている。その把持部１１１の上方には、ダストボックス１０７を掃除機本体１０３に留める尾錠１０９が形成されている。
【０００４】
上述した電気掃除機１０１では、床ノズル１０５から空気とともに吸引された塵埃は、ダストボックス１０７の内周面に沿って回転する渦流のサイクロン作用による遠心力によって空気と分離されてダストボックス１０７内に堆積される。ダストボックス１０７内に溜まった塵埃は、ダストボックス１０７の尾錠１０９を操作し、ダストボックス１０７を掃除機本体１０３から取外した後に棄てられることになる。
【特許文献１】特公平５−４９２８２号公報
【発明の開示】
【発明が解決しようとする課題】
【０００５】
しかしながら、従来の電気掃除機１０１では次のような問題点があった。電気掃除機１０１を移動させようとして、ダストボックス１０７の把持部１１１を持って電気掃除機１０１を持ち上げる場合がある。このとき、尾錠１０９が把持部１１１の近傍に配置されるために誤って尾錠１０９を操作してしまい、掃除機本体１０３が落下してしまうおそれがあった。
【０００６】
本発明は上記問題点を解決するためになされたものであり、その目的は、安全性のより高い電気掃除機を提供することである。
【課題を解決するための手段】
【０００７】
本発明に係る電気掃除機は縦型の電気掃除機であって、掃除機本体部と塵埃を吸込むための吸込み口体とを有している。吸込み口体は掃除機本体部に接続されている。その掃除機本体部は、筐体と電動送風機とダストカップとロック機構とを備えている。電動送風機は筐体内に収容されている。ダストカップは筐体に着脱可能に取付けられ、吸込み口体から吸込んだ塵埃を集める。ロック機構は、ダストカップに設けられて、ダストカップを筐体に留めるとともに、手で上に持ち上げる態様で引掛けることにより留められた状態が解除される。
【０００８】
この構成によれば、ダストカップのロック機構を手で上に持ち上げる態様で引掛けることにより、ダストカップが掃除機本体部の筐体に留められた状態が解除されて、ダストカップが掃除機本体部から外れることになる。これにより、掃除機本体部が上方に持ち上げられる前にダストカップが外れることにより、掃除機本体部が持ち上げられた状態からダストカップが外れて、掃除機本体部が落下することを確実に防止することができる。その結果、電気掃除機の安全性を大幅に向上することができる。
【０００９】
そのロック機構として、より具体的には、筐体の所定の部分に嵌合されてダストカップを筐体に留めるカギ部と、所定の軸部に軸支されてカギ部とリンクされ、手で軸部の回りに回動させてカギ部をスライドさせることにより、嵌合された状態を解除する把持部とを含むことが好ましい。
【００１０】
また、ダストカップの前面側にはダストカップに溜まった塵埃を確認する窓が設けられて、把持部は、その窓の上方に配設されていることがより好ましい。これにより、ダストカップに溜まった塵埃を容易に確認して、ダストカップの筐体からの取外し作業を行なうことができる。
【００１１】
そして、把持部はダストカップの外周面よりも突出しないように配設されていることがより好ましい。これにより、電気掃除機が転倒した場合などに把持部が破損するのを未然に防ぐことができる。
【００１２】
さらに、その把持部はダストカップの外周面に沿うように配設されていることが好ましく、これにより、デザイン的に違和感がなくなる。
【発明を実施するための最良の形態】
【００１３】
本発明の実施の形態に係る縦型の電気掃除機について説明する。図１および図２に示すように、本電気掃除機１では、筐体３ａ内に電動送風機３３を内装した掃除機本体３に対し、床等に落ちている塵埃を吸込む吸込み口体２１と、壁や天井等の高所に付着している塵埃等を吸込む吸込み口３２とが接続されている。吸込み口体２１と掃除機本体３とは、接続管２３を介して接続されている。吸込み口３２と掃除機本体３とは、吸入管３１および伸縮管２７を介して接続されている。また、通常、吸込み口３２は収容部２９に収容されている。
【００１４】
その掃除機本体３には、吸込み口体２１や吸込み口３２から吸込んだ塵埃を溜めておくダストカップ５が筐体３ａに対して着脱可能に取付けられている。そのダストカップ５について、さらに詳しく説明する。図３および図４に示すように、ダストカップ５には、吸込み口体２１（図１参照）等と接続されてダストカップ５に塵埃を含んだ空気を送り込む導入口１２が設けられている。また、ダストカップ５の内部には、導入口１２から送り込まれてダストカップ５の内周面に沿って旋回する空気に含まれる塵埃を捕えるリブ１１を備えたダスト仕切り７が設けられている。
【００１５】
そのダスト仕切り７の上端には、ダストカップ５内に送り込まれた空気をダストカップ５の外へ送り出す内筒部９が設けられている。内筒部９の側壁には空気を通過させる開口部（図示せず）が形成され、また、その開口部を通過する空気に残留する塵埃を捕えるメッシュ（図示せず）が配設されている。内筒部９の上方には、空気に残留する微細な塵埃を捕えるフィルター２５が設けられている。さらに、ダストカップ５の前面側の外周部には、ダストカップ５内の塵埃の溜り具合を観察するための窓１３が設けられている。なお、図３では、ダストカップ５が掃除機本体３に留められた状態が示され、図４では、ダストカップ５が掃除機本体３から取外された状態が示される。
【００１６】
そして、ダストカップ５の上部には、掃除機本体３の筐体３ａ（図３参照）にダストカップ５を着脱可能に留めるためのロック機構として、把持部１５とカギ部１９が設けられている。図５に示すように、把持部１５は回転軸１７に軸支され、手で上に持ち上げる態様で引掛けることにより把持部１５が矢印３１に示す方向に回動する。カギ部１９はその回動に伴い、リンク機構１６によって矢印３２に示す下方にスライド動作をして、カギ部１９が筐体３ａ（図３参照）に嵌合した状態が解除されて、ダストカップ５が筐体３ａから取外し可能な状態となる。
【００１７】
一方、手を把持部１５から離すと、把持部１５は元の状態に回動し、カギ部１９は上方にスライド動作をして、カギ部１９が筐体３ａに嵌合した状態となって、ダストカップ５が筐体３ａに留められた状態となる。その把持部１５は、窓１３の上方に配設され、しかも、ダストカップ５の外周面から突出しないように、ダストカップ５の外周面の形状に沿うように形成されている。
【００１８】
次に、上述した電気掃除機１の動作について説明する。図６に示すように、まず、床等を掃除する場合には、吸込み口体２１から空気とともに塵埃が吸い込まれる。塵埃を含んだ空気は、接続管２３を流れて導入口１２から筒状のダストカップ５内に接線方向に送り込まれる。ダストカップ５内に送り込まれた空気は、ダストカップ５の内周面に沿って流れることで竜巻状に旋回をすることになる。
【００１９】
塵埃を含んだ空気がダストカップ５内を旋回する間に、ダストカップ５の中央部から内周面に向って張り出したダスト仕切り部７の複数のリブ１１のうち特定のリブ１１に塵埃が接触して、そのリブ１１に塵埃が捕えられる。そして、その捕えられた塵埃を基点として旋回する空気に含まれる塵埃が順次捕えられて、筒状のダストカップ５内に周方向に塵埃が順次堆積していくことになる。
【００２０】
一方、壁や天井等を掃除する場合には、吸込み口３２から空気とともに塵埃が吸込まれる。塵埃を含んだ空気は、伸縮管２７および吸入管３１を流れてダストカップ５内に送り込まれる。ダストカップ５内に送り込まれた空気は、吸込み口体２１から送り込まれた空気の場合と同様に、ダストカップ５内を旋回して、その空気に含まれる塵埃がダストカップ５内に堆積される。
【００２１】
こうして、筒状のダストカップ５の内周面に沿って塵埃を含んだ空気が流れることで、遠心力によって塵埃が空気と分離されるとともに、その分離された塵埃が特定のリブ１１を基点として周方向に順次堆積されて、塵埃と空気の分離とが効率よく行なわれる。塵埃が分離された空気は、内筒部９に設けられたメッシュおよびフィルタ２５を通過する間に、空気に残留する微細な塵埃がそのメッシュやフィルタ２５に捕えられる。その後、塵埃等と分離された空気は電気掃除機１の外へ排出される。
【００２２】
次に、電気掃除機１を使用してダストカップ５内に溜まった塵埃を除去する手順について説明する。まず、図７、図８および図９に示すように、掃除機本体３の前面側にある把持部１５に手の指を掛ける。この状態では、カギ部１９はダストカップ５の上面部より突出し（図９参照）、筐体３ａの所定の部分にまだ嵌合（図７参照）しており、ダストカップ５は掃除機本体３に留められた状態にある。
【００２３】
次に、図１０、図１１および図１２に示すように、ダストカップ５を上に持ち上げる態様で手の指を把持部１５に引掛けることにより、把持部１５を回転軸１７の回りに矢印３１に示す方向に回動させる。把持部１５が回動すると、リンク機構１６によりカギ部１９が、矢印３２に示すように下方にスライド動作をする。
【００２４】
そうすると、カギ部１９はダストカップ５の上面部より下がって（図１２参照）、筐体３ａの所定の部分に嵌合した状態が解除される。この状態で、さらに把持部１５を手で引っ張る（手前に引く）と、図１３に示すように、掃除機本体の筐体３ａからダストカップ５が取外される。こうして、図１４に示すように、掃除機本体３から取外されたダストカップ５においては、塵埃が溜まったダストカップ本体からこれを覆うダストカップ蓋１４が取外されて、ダストカップ５内に堆積した塵埃が棄てられる。
【００２５】
空になったダストカップ５は、上述した操作と逆の操作を行なうことで掃除機本体３に留められることになる。なお、このとき、筐体３ａに接触するカギ部１９の部分にテーパ部分が設けられていることで、ダストカップを掃除機本体３に取付ける際に、把持部１５を持ち上げることなく単にダストカップ５を押し込むことで、カギ部１９が下方にスライド動作をした後に上方にカギ部１９がスライド動作をし、カギ部１９が筐体３ａの所定の部分に嵌合してダストカップ５を掃除機本体３に留めることができる。
【００２６】
上述した電気掃除機１によれば、把持部１５に手の指を引掛けて、掃除機本体３を持ち上げようとすると、把持部１５が回動してリンク機構１６によってカギ部１９が下方にスライド動作をする。そのため、カギ部１９が筐体３ａに嵌合した状態が解除されて、ダストカップ５が掃除機本体３から外れることになる。これにより、掃除機本体３が上方に持ち上げられる前にダストカップ５が外れて、掃除機本体３がある程度の高さに持ち上げられた状態からダストカップ５が外れて、掃除機本体３が落下することを確実に防止することができる。その結果、電気掃除機の安全性を大幅に向上することができる。
【００２７】
また、その把持部１５を掃除機本体３の筐体３ａの外周面から突出させず、外周面に合わせた形状にすることで、電気掃除機１が転倒した場合などに把持部１５が破損するのを未然に防ぐことができる。また、デザイン的にも違和感がなくなる。さらに、ダストカップ５において把持部１５を窓１３が配置された前面側の上部、特に窓１３の上方に設けることで、ダストカップ５に溜まった塵埃を容易に確認してダストカップ５の取外し作業を行なうことができる。
【００２８】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２９】
【図１】本発明の実施の形態に係る電気掃除機の正面図である。
【図２】同実施の形態において、図１に示す電気掃除機の一部断面を含む側面図である。
【図３】同実施の形態において、ダストカップおよびその周辺部分を示す部分拡大断面図である。
【図４】同実施の形態において、ダストカップの断面斜視図である。
【図５】同実施の形態において、ダストカップのロック機構を説明するための斜視図である。
【図６】同実施の形態において、電気掃除機の動作を説明するための一部断面を含む側面図である。
【図７】同実施の形態において、ダストカップの取外し手順を説明するための一状態を示す部分拡大断面図である。
【図８】同実施の形態において、図７に示す状態におけるダストカップを示す斜視図である。
【図９】同実施の形態において、図７に示す状態におけるダストカップを示す断面斜視図である。
【図１０】同実施の形態において、図７に示す状態の後の状態を示す部分拡大断面図である。
【図１１】同実施の形態において、図１０に示す状態におけるダストカップを示す斜視図である。
【図１２】同実施の形態において、図１０に示す状態におけるダストカップを示す断面斜視図である。
【図１３】同実施の形態において、図１０に示す状態の後のダストカップが取外された状態を示す部分拡大断面図である。
【図１４】同実施の形態において、図１３に示す状態において取外されたダストカップを示す斜視図である。
【図１５】従来の電気掃除機を示す斜視図である。
【符号の説明】
【００３０】
１  電気掃除機、３  掃除機本体、３ａ  筐体、５  ダストカップ、７  ダスト仕切り、９  内筒部、１１  リブ、１３  窓、１４  ダストカップ蓋、１５  把持部、１６  リンク機構、１７  回転軸、１９  カギ部、２１  吸込み口体、２３  接続管、２５  フィルター、２７  伸縮管、２９  収容部、３１  吸入管、３３  電動送風機。
【図１】
2008093341.tif 000003
【図２】
2008093341.tif 000004
【図３】
2008093341.tif 000005
【図４】
2008093341.tif 000006
【図５】
2008093341.tif 000007
【図６】
2008093341.tif 000008
【図７】
2008093341.tif 000009
【図８】
2008093341.tif 000010
【図９】
2008093341.tif 000011
【図１０】
2008093341.tif 000012
【図１１】
2008093341.tif 000013
【図１２】
2008093341.tif 000014
【図１３】
2008093341.tif 000015
【図１４】
2008093341.tif 000016
【図１５】
2008093341.tif 000017